(57)【要約】      （修正有）【課題】貴重品等を収納して携帯する用途と、飲料用容器を携帯する用途の両方に同時に使用することが可能な収納ケースを提供する。【解決手段】有底筒状のケース本体２と、ケース本体２の開口部２ａ外周に螺合される外蓋３と、ケース本体２の開口部２ａに内嵌され、かつ、必要時にケース本体２の開口部２ａから取外して清涼飲料水等の飲料用容器の口部外周に螺合される中蓋４と、外蓋３及び中蓋４に開孔した通孔３ｂ、４ｂのいずれかに挿通される吊下具５とを備えて収納ケース１を構成したことを特徴とする。【選択図】図２
0003162621.tif 000002
【実用新案登録請求の範囲】
【請求項１】
有底筒状のケース本体と、ケース本体の開口部外周に螺合される外蓋と、ケース本体の開口部に内嵌され、かつ、必要時にケース本体の開口部から取外して清涼飲料水等の飲料用容器の口部外周に螺合される中蓋と、外蓋及び中蓋に開孔した通孔のいずれかに挿通される吊下具とを備えて収納ケースを構成したことを特徴とする収納ケース。
【請求項２】
ケース本体の開口部が、ケース本体の開口部が、５００円硬貨を挿通可能な径寸法で形成されていることを特徴とする請求項１記載の収納ケース。
【請求項３】
ケース本体内には、チタン素材を含む紐及び／またはチタン素材を含む防水型の腕時計が予め収納されていることを特徴とする請求項１記載の収納ケース。
【請求項４】
吊下具がカラビナであることを特徴とする請求項１記載の収納ケース。
【考案の詳細な説明】
【技術分野】
【０００１】
本考案は、海水浴や登山等のアウトドアレジャーの際に、貴重品等を収納して携帯するために使用する小型の収納ケースに関する。
【背景技術】
【０００２】
従来、海水浴や登山等のアウトドアレジャーの際に、貴重品や水に濡れては困る物品等（以下、貴重品等という）を収納して携帯するための収納ケースとして、例えば、上端にねじを形成しその下方にゴム製のＯリングを嵌め込んだ中空状の下ケースと、上部にひも通し孔を形成し内部下方にねじを形成して成る中空状の上ケースと、上ケースのひも通し孔に挿通されるひも、からなる収納ケースが開示されている（特許文献１の第１図参照）。そして、下ケース内に貴重品等（例えば、金銭、タバコ、薬等）を収納した状態で、上ケースを前記下ケースに螺合し、ひもを用いて首から吊下げる等することにより、海水浴等に際して前記貴重品等を水に濡らすことなく携帯することができる。
【０００３】
また、近年、海水浴や登山等のアウトドアレジャーの際に、水筒を使用して飲料水等を携帯する代わりに、清涼飲料水等を充填したペットボトル等の飲料用容器を携帯することが増えてきている。しかし、前記飲料用容器は持ち手を有していないため、鞄等に収納するか、手で保持しなければならず、持ち運びしにくいという問題がある。このため、例えば、特許文献１に記載されている収納ケースの上ケースを、飲料用容器の口部に螺合可能な大きさで形成し、飲料用容器を携帯するための用具としての役割を兼ねさせることが考えられる。
【先行技術文献】
【特許文献】
【０００４】
【特許文献１】実開昭６２−１８２６２７号公報
【考案の概要】
【考案が解決しようとする課題】
【０００５】
然るに、特許文献１に記載されている収納ケースは、本来上ケースと下ケースとを対として使用する関係上、前記上ケースに口部を螺合した状態で飲料用容器を携帯する場合には、下ケース内に貴重品等を収納して携帯することができないという問題がある。即ち、収納ケースの上ケースは、下ケースに貴重品等を収納して携帯するための用途か、飲料用容器を携帯するための用途か、いずれかの用途でしか使用することができず、両方の用途に同時に使用することができない。この問題を回避するには、例えば、収納ケースの上ケースのみを複数個用意するか、飲料用容器を携帯するための専用の携帯用具（例えば、特開２００１−２７８２７８号公報等参照）を用いること等が考えられるが、いずれの場合も、必要時に備えて収納ケースとは別に予備の上ケースや携帯用具を用意しておかなければならないという問題がある。
【０００６】
また、収納ケースの上ケースを、飲料用容器の口部に螺合可能な大きさで形成する場合、前記飲料用容器の口部の径寸法（直径）は約２０ｍｍ程度であるため、前記上ケースと螺合する下ケースの口部の径寸法も必然的に飲料用容器の口部の径寸法と同等の大きさとなる結果、前記下ケースに収納できる貴重品等の大きさが、口部の径寸法よりも小さなもの（直径約２０ｍｍ以下）に限定されてしまい、例えば、これを超える１０円硬貨（２３．５ｍｍ）、５０円硬貨（２１ｍｍ）、１００円硬貨（２２．６ｍｍ）、５００円硬貨（２６．５ｍｍ）等を下ケース内に収納して携帯することが困難になるという問題もある。
【０００７】
本考案は、前記種々の問題点に鑑み、貴重品等を収納して携帯する用途と、飲料用容器を携帯する用途の両方に同時使用することが可能な収納ケースの提供を目的とする。
【課題を解決するための手段】
【０００８】
前記課題を解決するために、請求項１記載の考案は、有底筒状のケース本体と、ケース本体の開口部外周に螺合される外蓋と、ケース本体の開口部に内嵌され、かつ、必要時にケース本体の開口部から取外して清涼飲料水等の飲料用容器の口部外周に螺合される中蓋と、外蓋及び中蓋に開孔した通孔のいずれかに挿通される吊下具とを備えて収納ケースを構成したことを特徴とする。
【０００９】
請求項２記載の考案は、請求項１記載の考案において、ケース本体の開口部が、５００円硬貨を挿通可能な径寸法で形成されていることを特徴とする。
【００１０】
請求項３記載の考案は、請求項１記載の考案において、ケース本体内には、チタン素材を含む紐及び／またはチタン素材を含む防水型の腕時計が予め収納されていることを特徴とする。
【００１１】
請求項４記載の考案は、請求項１記載の考案において、吊下具がカラビナであることを特徴とする。
【考案の効果】
【００１２】
請求項１記載の考案によれば、収納ケースは、ケース本体にその開口部を塞ぐようにして外蓋を螺合することにより、密閉状態とすることができるので、海水浴等の際に、収納ケース内に貴重品等を収納し、身に付けた状態で携帯しても、ケース本体内への水の浸入を良好に防ぐことが可能となり、利便である。また、ケース本体の開口部に予め内嵌されている中蓋を利用することにより、飲料用容器を収納ケースと同時に携帯することが可能となるとともに、中蓋を使用しないときは、前記のようにケース本体の開口部に内嵌した状態で収納ケースとともに携帯することが可能となり、非常に利便である。
【００１３】
請求項２記載の考案によれば、収納ケースを構成するケース本体内には、比較的小さな貴重品等から５００円硬貨と同程度の大きさの貴重品等まで収納することが可能となり、収納できる貴重品等の大きさに幅を持たせることができる。また、ケース本体の開口部が比較的径大に形成されているため、ケース本体内に収納されている貴重品等の取り出しを容易に行うことができるとともに、貴重品等の収納量の増大を図ることが可能となる。
【００１４】
請求項３記載の考案によれば、吊下具に替えて紐を外蓋の通孔に挿通することにより、ケース本体（収納ケース）を首から吊下げて携帯することができるとともに、中蓋の使用時には、外蓋の通孔もしくは中蓋の通孔の一方に吊下具を、他方に紐をそれぞれ挿通することにより、収納ケースと飲料用容器とを同時に携帯することができる。また、腕時計は防水型であるので、海水浴等の際に水に濡れても全く問題なく、しかも、汗をかいても蒸れることがないため、快適に使用することができる。その上、前記紐及び腕時計は、チタン素材を含んだ材料を使用しているので、海水浴や登山等のアウトドアレジャーの際に身に付けておくことで、血行促進、代謝促進等の作用を得ることが可能となる結果、健康増進を図ることができるという利点もある。
【００１５】
請求項４記載の考案によれば、収納ケースや飲料用容器を、リュックサックやズボンのベルト通し等に簡易に取付けて携帯することが可能となり、利便である。
【図面の簡単な説明】
【００１６】
【図１】本考案の収納ケースを示す斜視図である。
【図２】（ａ）はケース本体から外蓋を取外した状態を示す斜視図、（ｂ）は収納ケースの要部を拡大して示す縦断正面図である。
【図３】本考案の収納ケースを分解して示す斜視図である。
【図４】（ａ）は外蓋をケース本体に取付ける前の状態を示す縦断正面図、（ｂ）は外蓋をケース本体に取付けた状態を示す縦断正面図である。
【図５】（ａ）は中蓋を飲料用容器の口部から取外した状態を示す一部切欠正面図、（ｂ）は中蓋を飲料用容器の口部に取付けた状態を示す一部切欠正面図である。
【図６】（ａ）は収納ケースをリュックサックに取付けた状態を示す斜視図、（ｂ）は飲料用容器をリュックサックに取付けた状態を示す斜視図である。
【図７】（ａ）は収納ケースをズボンのベルト通しに取付けた状態を示す斜視図、（ｂ）は飲料用容器をズボンのベルト通しに取付けた状態を示す斜視図である。
【図８】（ａ）は収納ケースを首に吊下げた状態を示す斜視図、（ｂ）は飲料用容器を首に吊下げた状態を示す斜視図である。
【考案を実施するための形態】
【００１７】
以下、本考案を実施するための形態について、図１ないし図８を参照しながら説明する。図１ないし図３において、１は本考案における収納ケースである。２は収納ケース１を構成するケース本体であり、例えば、合成樹脂により有底筒状に形成されている。ケース本体２には、図２、３で示すように、開口部２ａを開口した上端側の外周面にねじ部２ｂが螺設されているとともに、前記ねじ部２ｂのやや下方には鍔部２ｃが周設されている。なお、ケース本体２の開口部２ａは、５００円硬貨を挿通可能な大きさ（例えば、３０〜３５ｍｍ程度）で、ケース本体２の上端部に開口されている。また、ケース本体２は、透明または不透明（色付き）のいずれであってもよく、使用用途に応じて選択すればよい（例えば、金銭等の貴重品を収納する場合は、外部から視認しにくい不透明なものを、調味料や薬等を収納する場合は外部から視認しやすい透明なものを使用すればよい）。
【００１８】
３は収納ケース１を構成する合成樹脂製の外蓋であり、ケース本体２に開口部２ａを塞ぐようにして螺合される。外蓋３には、図１ないし図３で示すように、上部に後述する吊下具５が挿通する通孔３ａが開孔されており、また、中空状の下方内部には、ケース本体２のねじ部２ｂと螺合するねじ部３ｂが螺設されている。３ｃは外蓋３下方の開口端縁に周設した鍔部である。
【００１９】
４は収納ケース１を構成する合成樹脂製の中蓋であり、ケース本体２の開口部２ａに、例えば、上下逆さまの状態で内嵌される。中蓋３には、図２、３及び図５で示すように、上部（図２、３においては下部）に後述する吊下具５が挿通する通孔４ａが開孔されており、また、中空状の下方（図２、３においては上方）内部には、図５で示すＰＥＴ（ポリエチレンテレフタレート）製もしくは金属製の飲料用容器６の口部６ａ外周に螺設したねじ部６ｂと螺合するねじ部４ｂが螺設されている。４ｃは外蓋３下方（図２、３においては上方）の開口端縁に周設され、ケース本体２の開口部２ａに内嵌した際にその端縁に係載される鍔部である。
【００２０】
５は外蓋３上部に開孔した通孔３ａもしくは中蓋４上部に開孔した通孔４ａに挿通される吊下具であり、例えば、カラビナからなる。なお、吊下具５としては、カラビナ以外にも茄子環やキーリング等を使用することができる。図１で示すように、吊下具５は、略Ｃ字状の本体５ａと、その開口部を閉塞する開閉杆５ｂとを備えており、前記開閉杆５ｂを、支軸５ｃを中心として図１に実線で示す位置から２点鎖線で示す位置へ回動させ、本体５ａの開口部を開放することにより、前記本体５ａを簡易に外蓋３の通孔３ａもしくは中蓋４の通孔４ａに挿通することができるとともに、図６、７で示すように、リュックサック９やズボンのベルト通し１０等に取付けることができる。また、前記開閉杆５ｂは、手を離すと図示しないバネの力により、支軸５ｃを中心として図１に２点鎖線で示す位置から実線で示す位置に復帰し、本体５ａの開口部を閉塞する。
【００２１】
なお、図３において、７はケース本体２内に予め収納されたチタン素材を含む紐（例えば、チタン素材を含むシリコンゴム等の弾性材料の表面を、ナイロン繊維等の有機繊維により被覆したもの）であり、必要に応じて外蓋３の通孔３ａもしくは中蓋４の通孔４ａに挿通することにより、図８で示すように、前記外蓋３に螺合したケース本体２（即ち、収納ケース１）または中蓋４に螺合した飲料用容器６を首から吊下げた状態で携帯することが可能な長さ寸法を備えている。また、図３において、８は同じくケース本体２内に予め収納された防水型の腕時計であり、例えば、チタン素材入りのシリコンゴム等の弾性材料からなるベルト８ａと、前記ベルト８ａに包埋される防水仕様の表示部８ｂからなり、海水浴等の際に手首等に装着して使用する（図６、８参照）。なお、ケース本体２内には、紐７のみを予め収納しておいてもよいし、紐７と腕時計８の両方を収納しておいてもよい。
【００２２】
次に、本考案の収納ケース１を使用して、海水浴や登山等のアウトドアレジャーの際に、貴重品等を携帯する場合について説明する。まず、図２（ａ）で示すように、ケース本体２のねじ部２ｂと外蓋３のねじ部３ｂとの螺合を解除して、外蓋３をケース本体２から取外す。つづいて、図３で示すように、ケース本体２の開口部２ａに内嵌されている中蓋４を上方に持ち上げて取外すとともに、前記ケース本体２内に収納されている紐７及び腕時計８をそれぞれ取り出す。この後、開口部２ａからケース本体２内に、貴重品等（例えば、金銭、鍵、タバコ、薬、調味料等）を収納する。なお、ケース本体２内から取り出した紐７は、収納ケース１を首から吊下げて使用する場合には、吊下具５に替えて外蓋３の通孔３ａに挿通する。また、同じくケース本体２内から取り出した腕時計８は、必要に応じて手首に装着する等しておく（図６、８参照）。
【００２３】
つづいて、中蓋４を飲料用容器６の携帯に使用しない場合は、図２で示すように、その鍔部４ｃをケース本体２の開口部２ａ端縁に係載した状態で、前記開口部２ａに内嵌する。この後、ケース本体２にその開口部２ａを塞ぐようにして外蓋３を被せ、それぞれのねじ部２ｂ、３ｂを螺合させることにより、図２（ｂ）で示すように、外蓋３を中蓋４に当接させる。これにより、前記ケース本体２の開口部２ａは密閉される。また、中蓋４を飲料用容器６の携帯に使用する場合には、図４（ａ）で示すように、前記中蓋４をケース本体２の開口部２ａから取外したままの状態で、ケース本体２にその開口部２ａを塞ぐようにして外蓋３を被せ、それぞれのねじ部２ｂ、３ｂを螺合させることにより、図４（ｂ）で示すように、外蓋３をケース本体２の開口部２ａ端縁に当接させる。これにより、前記ケース本体２の開口部２ａは密閉される。
【００２４】
そして、前記のように内部に貴重品や水に濡れては困る物品等を収納した収納ケース１は、図６（ａ）、図７（ａ）で示すように、外蓋３の通孔３ａに挿通した吊下具５を使用して、リュックサック９やズボンのベルト通し１０等に吊下げた状態で携帯することができるとともに、吊下具５に替えて紐７を外蓋３の通孔３ａに挿通することにより、図８（ａ）で示すように、首から吊下げた状態で携帯することができる。
【００２５】
次に、収納ケース１に具備した中蓋４を使用して飲料用容器６を携帯する場合について説明する。まず、図２で示すように、ケース本体２のねじ部２ｂと外蓋３のねじ部３ｂとの螺合を解除して、外蓋３をケース本体２から取外すとともに、図３で示すように、ケース本体２の開口部２ａに内嵌されている中蓋４を上方に持ち上げて取外す。なお、飲料用容器６の携帯時に紐７を使用する場合は、同時にケース本体２内から取り出しておく。
【００２６】
つづいて、図５（ａ）で示すように、飲料用容器６にその口部６ａを塞ぐようにして中蓋４を被せ、それぞれのねじ部４ｂ、６ｂを螺合させることにより、図５（ｂ）で示すように、鍔部４ｃを飲料用容器６の口部６ａ下方に周設したフランジ６ｃに当接させる。これにより、前記飲料用容器６の口部６ａは密閉される。なお、中蓋４の通孔４ａには、携帯の方法に応じて、外蓋３の通孔３ａに挿通されている吊下具５を取外して挿通するか、予めケース本体２内から取り出しておいた紐７を挿通する。
【００２７】
そして、前記のように中蓋４に螺合した飲料用容器６は、図６（ｂ）、図７（ｂ）で示すように、前記中蓋４の通孔４ａに挿通した吊下具５を使用して、リュックサック９やズボンのベルト通し１０等に吊下げた状態で携帯することができるとともに、吊下具５に替えて紐７を中蓋４の通孔４ａに挿通することにより、図８（ｂ）で示すように、首から吊下げた状態で携帯することができる。
【００２８】
このように、本考案においては、飲料用容器６の口部６ａに螺合可能な中蓋４を、ケース本体２の開口部２ａに内嵌するようにしたので、必要時、即ち、飲料用容器６を携帯する際に、前記中蓋４をケース本体２の開口部２ａから取外し、飲料用容器６の口部６ａに螺合することにより、容易に飲料用容器６を携帯することができるとともに、前記中蓋４を使用しないときには、ケース本体２の開口部２ａに内嵌した状態で、収納ケース１の一部として携帯することが可能となり、非常に利便である。また、収納ケース１は、ケース本体２に外蓋３を螺合することにより密閉可能に構成されているので、前記ケース本体２内に貴重品等を収納し、身に付けた状態で海水浴等に興ずることが可能となり、利便である。
【００２９】
また、ケース本体２の開口部２ａは、５００円硬貨を挿通可能な径寸法で形成されているので、ケース本体２内には、１円から５００円までの各硬貨はもちろん、それ以外の貴重品等でも、比較的小さなものから５００円硬貨と同程度の大きさのものまで収納して携帯することが可能になる。しかも、ケース本体２の開口部２ａが比較的径大に形成されている関係上、ケース本体２内に収納した貴重品等の取り出しを容易に行うことができるとともに、ケース本体２内への貴重品等の収納量の増大を図ることが可能となる。
【００３０】
更に、ケース本体２内には、チタン素材を含む紐７が予め収納されているので、吊下具５に替えて紐７を外蓋３の通孔３ａに挿通することにより、前記外蓋３と螺合するケース本体２（即ち、収納ケース１）を首から吊下げて携帯することができるとともに、中蓋４の使用時には、外蓋３の通孔３ａもしくは中蓋４の通孔４ａの一方に吊下具５を、他方に紐７をそれぞれ挿通することにより、収納ケース１と飲料用容器６とを同時に携帯することができる。また、前記紐７とともにケース本体２内に収納されている腕時計８は、チタン素材を含むシリコンゴム等の弾性材料を使用した防水型であるので、水に濡れても全く問題はなく、しかも、汗をかいても蒸れることがないため、海水浴や登山等のアウトドアレジャーにおいて、快適に使用することができる。その上、前記紐７及び腕時計８は、チタン素材を含んだ材料を使用しているので、海水浴や登山等のアウトドアレジャーの際に身に付けておくことにより、血行促進、代謝促進等の作用が得られ、健康増進を図ることができるという利点もある。
【００３１】
また、吊下具５として、カラビナを使用しているので、収納ケース１や飲料用容器６を図６、７で示すように、リュックサック９やズボンのベルト通し１０等に簡易に取付けて携帯することができる。
【符号の説明】
【００３２】
１  収納ケース
２  ケース本体
２ａ  開口部
２ｂ  ねじ部
２ｃ  鍔部
３  外蓋
３ａ  通孔
３ｂ  ねじ部
３ｃ  鍔部
４  中蓋
４ａ  通孔
４ｂ  ねじ部
４ｃ  鍔部
５  吊下具
５ａ  本体
５ｂ  開閉杆
５ｃ  支軸
６  飲料用容器
６ａ  口部
６ｂ  ねじ部
６ｃ  フランジ部
７  紐
８  腕時計
８ａ  ベルト
８ｂ  表示部
【図１】
0003162621.tif 000003
【図２】
0003162621.tif 000004
【図３】
0003162621.tif 000005
【図４】
0003162621.tif 000006
【図５】
0003162621.tif 000007
【図６】
0003162621.tif 000008
【図７】
0003162621.tif 000009
【図８】
0003162621.tif 000010